(57)【特許請求の範囲】
【請求項１】
帯状のフィルム(F)を、その給送過程で筒状に成形するためのフィルム製袋装置であって、
フィルム給送ライン中心を挟んで配設され、筒状のフィルム(F)の製袋高さを設定する一対の製袋翼(56,56)と、
前記各製袋翼(56)における垂直側部(56a)の下端縁から外側に向けて上方傾斜するよう延在する翼部(56b)と、
前記各翼部(56b)のフィルム進入側基端に配設されて幅方向に延在し、表面が僅かに凹凸状に形成されると共にフィルム(F)との最初の接触端縁部がＲ形状に設定された粘着防止部材(64)とを備え、
上方から引出し給送される前記帯状のフィルム(F)の上面が前記翼部(56b,56b)におけるフィルム進入側の端縁部に直に接することなく、前記粘着防止部材(64,64)のＲ形状に当接案内されて下流側に給送されることで、該フィルム(F)が筒状に成形されるよう構成され、
更に、少なくともフィルム(F)が接触通過する部位に、フィルムの粘着防止処理を施した
ことを特徴とする横型製袋充填機におけるフィルム製袋装置。
【請求項２】
前記粘着防止処理はショット加工である請求項１記載の横型製袋充填機におけるフィルム製袋装置。
【請求項３】
前記粘着防止部材(64)は低摩擦特性を有する樹脂素材で形成されている請求項１または２記載の横型製袋充填機におけるフィルム製袋装置。
【発明の詳細な説明】
【０００１】
【発明の属する技術分野】
本発明は、横型包装機において使用されるフィルム製袋装置に関するものである。
【０００２】
【従来の技術】
一般的なピロー包装用のフィルムより厚みが薄く、自己粘着性を有する等、フィルムの材質が摩擦抵抗の大きなストレッチシュリンク包装用のフィルムを使用する横型のストレッチ包装機では、該フィルムを筒状に成形するに際し、その材質に起因してピロー包装用の製袋装置では良好な製袋が行なえない。従って、このようなストレッチ包装機の場合は、例えば特開平１０−２９１５０４号公報に開示されるように、コンベア装置によって搬送される物品に対してコンベア装置の上方において帯状のストレッチフィルムを物品搬送方向に移送し、このストレッチフィルムを展張させながら物品の周りに筒状に被せて包装するよう構成したものが一般的に採用されている。なお、ストレッチシュリンク包装のように、物品に対して余裕を持ってフィルムを筒状成形して物品の前後位置でシール切断し、得られた袋を加熱手段により加熱収縮させることで、物品にフィルムが密着した包装体を得るものでは、フィルムを展張させる装置は本来必要としないものであるが、便宜上前記ストレッチ包装機を利用して包装が行なわれていた。
【０００３】
【発明が解決しようとする課題】
前記のストレッチ包装機は、ストレッチフィルムで物品を包装する専用機として取扱われて、一般的なピロー包装を行なうことはできず、従って異なる包装を行なう場合には、用いるフィルムに対応した個々の包装機を設置していた。しかしながら、今日のように、ユーザーの嗜好に応じて多品種少量生産を行なう必要があるにも拘らず、異なる性質のフィルム毎に専用の包装機を設置して生産を行なうことは、生産ラインの設置スペースが増大するばかりでなく、生産効率の点でも好ましくなく、また包装機の購入コストが嵩む等、多くの問題があった。
【０００４】
【発明の目的】
この発明は、前述した従来の技術に内在している前記課題に鑑み、これを好適に解決するべく提案されたものであって、１台の包装機で、性質の異なるフィルムを兼用できる横型製袋充填機におけるフィルム製袋装置を提供することを目的とする。
【０００５】
【課題を解決するための手段】
前述した課題を解決し、所期の目的を好適に達成するため本発明は、
帯状のフィルムを、その給送過程で筒状に成形するためのフィルム製袋装置であって、
フィルム給送ライン中心を挟んで配設され、筒状のフィルムの製袋高さを設定する一対の製袋翼と、
前記各製袋翼における垂直側部の下端縁から外側に向けて上方傾斜するよう延在する翼部と、
前記各翼部のフィルム進入側基端に配設されて幅方向に延在し、表面が僅かに凹凸状に形成されると共にフィルムとの最初の接触端縁部がＲ形状に設定された粘着防止部材とを備え、
上方から引出し給送される前記帯状のフィルムの上面が前記翼部におけるフィルム進入側の端縁部に直に接することなく、前記粘着防止部材のＲ形状に当接案内されて下流側に給送されることで、該フィルムが筒状に成形されるよう構成され、
更に、少なくともフィルムが接触通過する部位に、フィルムの粘着防止処理を施したことを特徴とする。
【０００６】
【作用】
フィルム製袋装置のフィルムが接触通過する部位にはフィルムの粘着防止処理が施されると共に、帯状のフィルムが当接案内されて下流側に給送されることで、該フィルムを筒状に成形する製袋翼の翼部におけるフィルム進入側基端に粘着防止部材を幅方向に延在するよう配設したので、自己粘着性を有するフィルムを用いる場合でも円滑な製袋が達成される。すなわち、一般的なピロー包装用のフィルムと、ストレッチシュリンク包装用のフィルムとの、異なる性質のフィルムを１台の包装機で兼用することができる。また、粘着防止部材のフィルムとの最初の接触端縁部をＲ形状としたから、薄手で自己粘着性を有するフィルムであっても、該製袋装置への円滑な導入が達成されて良好な製袋を行ない得る。
【０００７】
【発明の実施の形態】
次に、本発明に係る横型製袋充填機におけるフィルム製袋装置につき、好適な実施例を挙げて、添付図面を参照しながら以下説明する。
【０００８】
図１は、実施例に係る横型製袋充填機におけるフィルム製袋装置を示すものであって、該製袋装置１０は、図示しない供給源から給送される帯状のフィルムＦの給送方向と交差する幅方向に延在する基台１２を備え、当該フィルム製袋装置１０は基台１２を介して横型製袋充填機の所定位置に取付けられる。この基台１２のフィルム給送ライン中心と対応する部位には、図３に示すように、下方に凹む凹部１２ａが形成され、フィルム製袋装置１０で筒状に成形されたフィルムＦの長手方向の重合部が、当該基台１２に干渉しないよう構成される。
【０００９】
前記基台１２の上面には、フィルム給送ライン中心を挟んで幅方向に対称に一対の固定プレート１６，１６がスペーサ１７，１７を介して水平に配設されると共に、両固定プレート１６，１６の対向辺間に所要寸法の隙間Ｓがフィルム給送方向と平行に画成されている。両固定プレート１６，１６は筒状のフィルムＦの下部を接触状態で支持案内するべく機能し、該フィルムＦの長手方向の重合部が前記隙間Ｓを介して下方に臨んだ状態で下流側に給送されるようになっている。また各固定プレート１６のフィルム給送方向上流側は、上流側に向かうにつれて他方の固定プレート１６から離間する傾斜辺１６ａとされ、対向する傾斜辺１６ａ，１６ａ間にＶ字状の導入部が画成される。そして、筒状成形されるフィルムＦの長手方向の端縁部近傍が両傾斜辺１６ａ，１６ａを介して下方に向けて折込まれることにより、前記重合部が形成されるようになっている。なお、固定プレート１６，１６の傾斜辺１６ａ，１６ａに近接する下面には、隙間Ｓを挟む両側に案内板１８，１８が対向してハ字状に垂設され、両案内板１８，１８に筒状のフィルムＦにおける長手方向の重合部が接触案内されて下流側に給送されるよう構成される。
【００１０】
前記固定プレート１６，１６の上面には、筒状に成形されるフィルムＦの側部を接触状態で案内すると共に、筒状のフィルムＦの幅寸法を設定する一対の側板２０，２０がフィルム給送ライン中心を挟む幅方向に離間して対向配置され、両側板２０，２０は、後述する調節機構によりフィルム給送方向に対して斜めに平行移動するよう構成されている。各側板２０は、図２に示す如く、固定プレート１６に沿って延在する平行部２０ａと、該平行部２０ａのフィルム給送方向上流端部から上流側に向けて上方に傾斜するよう延在する傾斜部２０ｂとから構成される。また各固定プレート１６の上面には、その上流端部から上流側に水平に延出する揺動プレート２４が、該固定プレート１６に対して支点ピン２６を介して水平揺動可能に枢支されている。フィルム給送ライン中心を挟んで対向する両揺動プレート２４，２４の対向辺は、上流側に向かうにつれて他方の揺動プレート２４から離間する傾斜辺２４ａとされ、対向する傾斜辺２４ａ，２４ａ間にＶ字状の導入部が画成される。そして、両揺動プレート２４，２４の上面で、筒状に成形されるフィルムＦの下部が接触案内されて下流側に給送されると共に、フィルムＦの長手方向の端縁部近傍が両傾斜辺２４ａ，２４ａを介して下方に向けて折込まれるようになっている。
【００１１】
前記各側板２０における上流側の下面には、略三角形状の導入プレート３２が、その上流側端部に配設された支点ピン３４を介して水平揺動可能に枢支されると共に、該導入プレート３２が前記揺動プレート２４の上面に摺接状態で載置されている。すなわち、フィルム給送ライン中心を挟む両側の導入プレート３２，３２の上面で、筒状に成形されるフィルムＦの下部が接触案内された後に、引続き該フィルム下部が揺動プレート２４，２４に接触案内されるよう構成される。また揺動プレート２４には、その傾斜辺２４ａと平行に延在する長孔２４ｂが形成され、該長孔２４ｂに、対応する導入プレート３２の底面に突設した一対のピン３５，３５が摺動可能に挿通されている。この状態で導入プレート３２における他方の導入プレート３２との対向辺が、対応する揺動プレート２４の傾斜辺２４ａと略同一傾斜角度に設定された傾斜辺３２ａとされ、後述する幅調節を行なっても常に揺動プレート２４の傾斜辺２４ａと導入プレート３２の傾斜辺３２ａとが略直線上に一致するよう構成される。そして、フィルムＦの長手方向の端縁部近傍は、両導入プレート３２，３２の両傾斜辺３２ａ，３２ａを介して下方に向けて折込まれ、引続して前記揺動プレート２４，２４の両傾斜辺２４ａ，２４ａで更に下方に向けて折込まれるようになっている。なお、導入プレート３２の上流端部には、側板２０の外側に向かうにつれて上方に湾曲する案内片３２ｂが形成され、該案内片３２ｂに帯状のフィルムＦにおける幅方向の両端部近傍が接触案内されるよう構成してある。
【００１２】
前記各側板２０における平行部２０ａの外側には、図１に示す如く、該側板２０に対して対応する固定プレート１６の傾斜辺１６ａより大きい角度で傾斜（フィルム給送方向下流側から上流側に向けて側板２０から外側に離間する傾斜）する取付部材３７が配設され、該取付部材３７に所要長さ寸法のラック３６が歯部を外側に向けた姿勢で平行に配設されている。この取付部材３７およびラック３６は、前記基台１２の幅方向の各端部に配設した支持部材１４と該部材１４にスペーサ３８を介して上方に離間して配設した保持板４０との間に摺動自在に臨むと共に、取付部材３７の内側面がスペーサ３８に摺動可能に支持されるようになっている。また支持部材１４と保持板４０との間には、ラック３６を挟んでスペーサ３８と反対側に、該ラック３６と噛合するピニオン４２が回転自在に枢支してある。そしてピニオン４２を正逆方向に回転することにより、該ピニオン４２とラック３６との噛合作用下に、側板２０がフィルム給送方向に対して斜めに平行移動するよう構成される。なお、ピニオン４２は基台１２と対応する位置に臨み、その回転軸４６を基台１２から下方に突出させている。また取付部材３７の上流端部は、ブラケット４４を介して側板２０に連結してある。
【００１３】
図３に示す如く、前記基台１２に回転可能に配設されたシャフト４８の両軸端に夫々ベベルギヤ５０が固定され、各ベベルギヤ５０が対応するピニオン４２の回転軸４６の下端に固定したベベルギヤ５２に噛合している。また一方のピニオン４２における保持板４０の上方に延出する回転軸４６に幅調節ハンドル５４が配設されており、該調節ハンドル５４を正逆方向に回転することで一対のピニオン４２，４２が相互に逆方向に回転し、これによって一対の側板２０，２０はフィルム給送ライン中心を挟んで対向した状態で、給送方向に対して斜めに平行移動して相互に近接・離間移動するよう構成される。
【００１４】
前記側板２０，２０の上流端部には、筒状のフィルムＦの製袋高さを設定する一対の製袋翼５６，５６が、フィルム給送ライン中心を挟んで配設されている。各製袋翼５６は、図３に示す如く、対応する側板２０の内側面に沿って垂下する垂直側部５６ａと、該垂直側部５６ａの下端縁から外側に向けて上方傾斜するよう延在する翼部５６ｂとから構成され、前記垂直側部５６ａの下流端部が側板２０に支点ピン５８を介して上下方向に揺動可能に枢支される。そして、両製袋翼５６，５６の翼部５６ｂ，５６ｂにおけるフィルム進入側基端に上方から引出し給送される帯状のフィルムＦが当接案内されて下流側に給送されることで、該フィルムＦが筒状に成形されるようになっている。
【００１５】
前記各側板２０の傾斜部２０ｂ外側に、高さ調節ハンドル６０が回動可能に配設されると共に、該ハンドル６０と一体的に回動する連結部材６２が、前記対応する製袋翼５６の垂直側部５６ａに回動可能に枢支されている。そして、高さ調節ハンドル６０を正逆方向に回動して連結部材６２を介して製袋翼５６を上下方向に傾動し、垂直側部５６ａと翼部５６ｂとの折曲上流端位置を可変することで、筒状のフィルムＦの製袋高さが調節される。なお、高さ調節ハンドル６０は、側板２０に凹設した周方向に所定間隔離間する凹部に、該ハンドル６０に進退可能に配設されて弾勢付勢されているボールを係合することで、周方向に間欠的に位置決め可能になっている。
【００１６】
また、前記高さ調節ハンドル６０の周面には、図１に示すように、製袋高さ寸法に対応する目盛りを所要間隔で付したスケール部６０ａが設けられると共に、前記各側板２０の対応する上面位置に基準線Ｌが付されている。すなわち、一対の高さ調節ハンドル６０，６０を個々に調節する場合に、同一目盛りが基準線Ｌと一致するよう各ハンドル６０を回転することで、一対の製袋翼５６，５６を同一位置に位置決め調節することができる。
【００１７】
前記各製袋翼５６における翼部５６ｂのフィルム進入側基端には、例えば樹脂素材中で低摩擦特性を有する超高ポリエチレンを材質として機械加工（切削加工）により形成された粘着防止部材６４が、幅方向に延在するよう配設されている。この粘着防止部材６４は、フィルムの粘着を防止し得るように切削加工されることで表面が僅かに凹凸状に形成されて、粘着性を有するフィルムＦの円滑な移送を達成し得るようになっている。また粘着防止部材６４におけるフィルムＦとの最初の接触端縁部（フィルム進入側基端部）は、所要のＲ（円弧）形状に形成されている。すなわち、供給源からフィルム製袋装置１０に向けて給送される帯状のフィルムＦは、前記薄板状の翼部５６ｂにおけるフィルム進入側の端縁部（２面が交差する角部）に直に接することなく、一対の粘着防止部材６４，６４のＲ形状になっているフィルム進入側基端部に上面が当接案内されて該製袋装置１０に導入された後に、下流側に給送されるよう構成され、薄いフィルムを傷けることなく移送し得るようになっている。なお、フィルムの粘着を防止し得る表面仕上げとし得るならば、粘着防止部材６４は機械加工品でなく、成形加工品であってもよい。
【００１８】
前述したように構成されたフィルム製袋装置１０において、フィルムＦが接触通過する金属材質の製袋翼５６、側板２０、導入プレート３２、揺動プレート２４、固定プレート１６および案内板１８等の表面には、ショット加工等によるフィルムの粘着防止処理が施され、ストレッチシュリンクフィルム等の自己粘着作用があるフィルムでも良好な製袋を行ない得るよう構成されている。なお、各部材５６，２０，３２，２４，１６，１８に施す粘着防止処理は、その表面全体でなく、フィルムＦが接触する面のみであってもよい。ちなみに、前記側板２０の材質はアルミであり、その他の部材５６，３２，２４，１６，１８の材質はステンレスである。
【００１９】
【実施例の作用】
次に、前述した実施例に係る横型製袋充填機におけるフィルム製袋装置の作用につき説明する。
【００２０】
前記フィルム製袋装置１０に向けて帯状のフィルムＦが給送されると、該フィルムＦの上面が幅方向に離間する一対の製袋翼５６，５６に配設された粘着防止部材６４，６４のフィルム進入側基端部に接触して折曲がると共に、該製袋翼５６，５６に当接案内されて両側板２０，２０の内側に沿って下流側に給送される結果として、下方が開口する略筒状に成形される。また該フィルムＦの長手方向の端縁部近傍が、前記導入プレート３２の傾斜辺３２ａ、揺動プレート２４の傾斜辺２４ａおよび固定プレート１６の傾斜辺１６ａに接触案内されつつ下方に折込まれて前記隙間Ｓに導入されることで、長手方向の重合部が形成された筒状のフィルムＦが成形される。そして、筒状成形されたフィルムＦには、図示しない被包装物が上流側から適宜の供給手段を介して充填供給される。
【００２１】
この場合において、フィルム製袋装置１０におけるフィルムＦが接触通過する各部材５６，２０，３２，２４，１６，１８の表面には、フィルムの粘着防止処理が施されているから、該フィルムＦの円滑な移送が達成される。また、前記被包装物の底面や側面をフィルムＦを挟んで支持する各部材５６，２０，３２，２４，１６と、該フィルムＦとの摩擦抵抗は小さくなるから、厚みが薄くて自己粘着性を有するストレッチシュリンクフィルムであっても、良好に製袋される。
【００２２】
なお、オーダ変更により製袋幅および高さの異なる筒状のフィルムＦを成形する場合は、前記幅調節ハンドル５４を所要方向に回転させることで、一対のピニオン４２，４２を相互に反対方向に回転させる。これにより、両ピニオン４２，４２と噛合するラック３６，３６を介して一対の側板２０，２０は、フィルム給送方向に対して斜めに平行移動して、新たなオーダに係る筒状のフィルムＦの幅に対応する位置に調節される。また、各側板２０の移動に伴って対応する導入プレート３２が揺動プレート２４の長孔２４ｂに沿って移動すると共に、両プレート３２，２４が支点ピン３４，２６を支点として水平揺動し、各傾斜辺３２ａ，２４ａは略直線上に整列一致する。すなわち、一対の側板２０，２０の離間幅（製袋幅）を変更しても、両プレート３２，２４の傾斜辺３２ａ，２４ａは常に略直線上に整列一致するので、筒状のフィルムＦの重合部の折込み案内を円滑に行なうことができる。
【００２３】
また、各側板２０に配設されている高さ調節ハンドル６０を所要方向に回転させ、該ハンドル６０に設けた所望の製袋高さ寸法に対応する目盛りが、側板２０の基準線Ｌと一致するよう位置決めすることで、製袋翼５６が新たなオーダに係る筒状のフィルムＦの製袋高さに対応する位置に変更される。
【００２４】
【変更例】
本願発明に係るフィルム製袋装置は、前述した実施例の構成に限定されるものでなく、各種の変更が可能である。
例えば、フィルムとの粘着防止処理は、ショット加工以外に、フッ素加工や、その他の各種摩擦抵抗軽減処理を施したり、フィルム製袋装置を粘着防止できる材質の部材で構成したり、あるいは粘着防止できる部材をフィルムとの接触部に設けることであってもよい。
実施例では製袋翼に超高ポリエチレンからなる粘着防止部材を配設しているが、該粘着防止部材は、エンジニアリングプラスチック等の樹脂素材、あるいはその他の材質等からなる材料で形成されたものであってもよい。
【００２５】
【発明の効果】
以上説明した如く、本発明の請求項１に係る横型製袋充填機におけるフィルム製袋装置では、フィルム製袋装置の少なくともフィルムとの接触通過部位に、フィルムの粘着防止処理を施すと共に、帯状のフィルムを筒状に成形する製袋翼の翼部におけるフィルム進入側基端に粘着防止部材を幅方向に延在するよう配設したので、例えば一般的なピロー包装用のフィルム、またはストレッチシュリンクフィルム等の薄くて自己粘着性を有する等の摩擦抵抗が過大なフィルムを使用した兼用包装ができる。また、性質の異なる個々のフィルムに適した包装機を個々に設置する必要がなく、設備コストを低減し得ると共に、設置スペースを減少できてスペース効率を高め得る。
【００２６】
更に、請求項１に係るフィルム製袋装置によれば、前記粘着防止部材のフィルムとの最初の接触端縁部をＲ形状としたので、前述した摩擦抵抗が過大なフィルムを用いる場合でも該製袋装置への円滑な導入を図って良好な製袋を達成し得る。
【図面の簡単な説明】
【図１】本発明の好適な実施例に係る横型製袋充填機におけるフィルム製袋装置を示す平面図である。
【図２】実施例に係るフィルム製袋装置の側面図である。
【図３】実施例に係るフィルム製袋装置をフィルム進入側から視た正面図である。
【符号の説明】
６４  粘着防止防材
Ｆ  フィルム
【図１】
0003574947.tif 000002
【図２】
0003574947.tif 000003
【図３】
0003574947.tif 000004